(57)【特許請求の範囲】
【請求項１】
無線ＬＡＮに医療用ポンプが接続された医療用ポンプシステムであって、
前記無線ＬＡＮに接続される位置検出装置であって、
前記無線ＬＡＮを用いて前記医療用ポンプの位置を検出する検出手段と、
医療施設内の複数のエリアのうち前記検出手段で検出された位置が属するエリアを判定する判定手段と、を有する位置検出装置と、
ユーザによる前記医療用ポンプの設定操作をサポートするために、前記複数のエリアの一つ以上のエリアに対応して作成された、前記医療用ポンプの設定に関わる複数のプロファイルの中から、前記判定手段で判定されたエリアに対応するプロファイルを選択する選択手段と、
前記ＬＡＮを介してプロファイルを前記医療用ポンプにダウンロードするプロファイルサーバと、を備え、
前記選択手段は、
前記医療用ポンプの位置が属するエリアに変更が生じた場合に、前記複数のプロファイルのうちの前記判定手段で判定されたエリアに対応するプロファイルを特定する識別情報を前記無線ＬＡＮを介して前記位置検出装置から前記プロファイルサーバに通知する通知手段と、
前記通知手段で通知された識別情報によって特定されるプロファイルを前記プロファイルサーバから前記医療用ポンプにダウンロードするダウンロード手段と、を備え、
前記医療用ポンプは、前記ダウンロード手段により最後にダウンロードされたプロファイルを保持し、ユーザによる薬剤設定をサポートするために、保持されているプロファイルを用いることを特徴とする医療用ポンプシステム。
【請求項２】
前記複数のプロファイルの各々には、当該プロファイルが対応している一つ以上のエリアを示すエリア情報が記録されており、
前記選択手段は、前記判定手段によって判定されたエリアを含むエリア情報が記録されているプロファイルを選択することを特徴とする請求項１に記載の医療用ポンプシステム。
【請求項３】
前記選択手段は、前記複数のプロファイルの各々と対応するエリアとを対応付けるテーブルを参照して、前記判定手段によって判定されたエリアに対応するプロファイルを選択することを特徴とする請求項１に記載の医療用ポンプシステム。
【請求項４】
前記医療用ポンプは、前記ダウンロード手段によりプロファイルがダウンロードされた場合に、それまで保持していたプロファイルを削除することを特徴とする請求項１乃至３のいずれか１項に記載の医療用ポンプシステム。
【発明の詳細な説明】
【技術分野】
【０００１】
本発明は、輸液ポンプ、シリンジポンプのような医療用ポンプおよび医療用ポンプシステムに関する。
【背景技術】
【０００２】
輸液ポンプ、シリンジポンプのような医療用ポンプは、様々な薬剤を患者の体内に適切な投与量で注入するために用いられる。したがって、医療用ポンプにおいては、患者の状態や薬剤の種類等に応じて、薬剤の投与速度などを看護師などのユーザが設定する必要があり、誤設定などの人為的なミスが発生する要因となっている。これに対して、医療用ポンプの使用エリア毎に各薬剤の流量上下限等を設定する薬剤ライブラリを利用して、このような誤設定の発生を防ぐことが提案されている。すなわち、パーソナルコンピュータ等から医療用ポンプに薬剤ライブラリをダウンロードしておき、医療用ポンプを使用する際には、ユーザに薬剤ライブラリから投与する薬剤を選択させて、薬剤投与速度設定間違いや医師の処方間違いを未然に防ぐ（特許文献１）。
【０００３】
なお、薬剤ライブラリは、ポンプでの流量誤設定等を防ぐことを目的として、薬剤毎に流量設定の上下限や、使用場所等の運用ルールを設定したものであり、病院のホストコンピュータなどに３０００件程度の薬剤が登録され、都度、新規登録や更新がなされ、医療用ポンプにダウンロードして使用されるものであり、薬剤毎に投与速度の上下限や基準投与速度、閉塞圧設定等のポンプ設定を登録できる。また、たとえば、ＩＣＵというプロファイルを作成し、各薬剤にプロファイルを設定することで薬剤をグループ化することができる。これにより、たとえば、ＩＣＵで使用される医療用ポンプにおいて、ＩＣＵで使用されない薬剤が選択されないように、ＩＣＵ用のプロファイルでそのような薬剤の選択を不可としておき、ユーザである医師、看護師等の医療従事者による設定時の間違いを防ぐことができる。
【先行技術文献】
【特許文献】
【０００４】
【特許文献１】特開２００８−５２９６７５号公報
【発明の概要】
【発明が解決しようとする課題】
【０００５】
一般に医療用ポンプは可搬型であり、一つの医療用ポンプを異なるエリア（ＩＣＵ、ＮＩＣＵ、病棟、病室、手術室等）で使用する可能性がある。しかしながら、従来技術では、一つの医療用ポンプを異なる診療科で用いることについて考慮されていない。そのため、医療用ポンプを使用する際にユーザは使用エリアに対応したプロファイル（たとえば診療科に対応したプロファイル）をまず選択してから投与する薬剤を選択する必要があり、多忙な看護師に新たな業務を強いるシステムとなっている。
【０００６】
本発明は、上記の課題に鑑みてなされたものであり、医療用ポンプの使用エリアに応じて、薬剤ライブラリの適切なプロファイルを自動的に選択することが可能な医療用ポンプシステムを提供することを目的とする。
【課題を解決するための手段】
【０００７】
上記の目的を達成するための本発明の一態様による医療用ポンプシステムは以下の構成を備える。すなわち、
無線ＬＡＮに医療用ポンプが接続された医療用ポンプシステムであって、
前記無線ＬＡＮに接続される位置検出装置であって、
前記無線ＬＡＮを用いて前記医療用ポンプの位置を検出する検出手段と、
医療施設内の複数のエリアのうち前記検出手段で検出された位置が属するエリアを判定する判定手段と、を有する位置検出装置と、
ユーザによる前記医療用ポンプの設定操作をサポートするために、前記複数のエリアの一つ以上のエリアに対応して作成された、前記医療用ポンプの設定に関わる複数のプロファイルの中から、前記判定手段で判定されたエリアに対応するプロファイルを選択する選択手段と、
前記ＬＡＮを介してプロファイルを前記医療用ポンプにダウンロードするプロファイルサーバと、を備え、
前記選択手段は、
前記医療用ポンプの位置が属するエリアに変更が生じた場合に、前記複数のプロファイルのうちの前記判定手段で判定されたエリアに対応するプロファイルを特定する識別情報を前記無線ＬＡＮを介して前記位置検出装置から前記プロファイルサーバに通知する通知手段と、
前記通知手段で通知された識別情報によって特定されるプロファイルを前記プロファイルサーバから前記医療用ポンプにダウンロードするダウンロード手段と、を備え、
前記医療用ポンプは、前記ダウンロード手段により最後にダウンロードされたプロファイルを保持し、ユーザによる薬剤設定をサポートするために、保持されているプロファイルを用いる。
【発明の効果】
【０００８】
本発明によれば、医療用ポンプの使用エリアに応じて、薬剤ライブラリの適切なプロファイルを自動的に選択することが可能となる。
【図面の簡単な説明】
【０００９】
【図１】実施形態による医療用ポンプシステムの構成例を示す図である。
【図２】位置検知サーバの構成例を示すブロック図である。
【図３】位置検知サーバによる、医療用ポンプの位置管理テーブルのデータ構成例を示す図である。
【図４】薬剤ライブラリを保持する保持部のデータ構成例を示す図である。
【図５】実施形態による医療用ポンプの構成例を示すブロック図である。
【図６】第１実施形態による位置検知サーバの動作を説明するフローチャートである。
【図７】第１実施形態による医療用ポンプの動作を説明するフローチャートである。
【図８】第３実施形態による位置検知サーバの動作を説明するフローチャートである。
【図９】第３実施形態による医療用ポンプの動作を説明するフローチャートである。
【発明を実施するための形態】
【００１０】
以下、添付の図面を参照して、本発明の好適な実施形態を説明する。
【００１１】
［第１実施形態］
図１は、実施形態における医療用ポンプシステムの構成例を示す図である。図１において、位置検知サーバ１０１、プロファイルサーバ１０２、複数の医療用ポンプ２００は、複数の中継器１０３を介した無線ＬＡＮによって接続されている。なお、位置検知サーバ１０１やプロファイルサーバ１０２と中継器１０３との間は有線で接続されていてもかまわない。位置検知サーバ１０１は、中継器１０３と医療用ポンプ２００との通信状況に基づいて医療用ポンプ２００の位置を検知する。また、プロファイルサーバ１０２は、医療用ポンプ２００に対して薬剤ライブラリプロファイル（以下、単にプロファイルという）を、無線ＬＡＮを介して提供する。
【００１２】
図２は、位置検知サーバ１０１の構成を示すブロック図である。なお、図２に示した構成は、コンピュータが所定のプログラムを実行することにより適切なハードウエアとの連携により実現され得る。
【００１３】
無線ＬＡＮモジュール１２１は、ＬＡＮと接続して、中継器１０３および医療用ポンプ２００との通信を可能にする。位置検出部１２２は、無線ＬＡＮに接続された医療用ポンプ２００の位置を、複数の中継器１０３からの信号に基づいて判定する。なお、このような無線ＬＡＮを利用した位置検知技術は周知であり、ここでは詳細な説明を省略する。エリア判定部１２３は、複数の医療用ポンプ２００の各々について検知された位置をエリア情報に変換する。なお、エリアとは、医療施設内を複数領域に分けたものであり、病棟や病室等をエリアとして用いることができる。位置情報からエリア情報への変換はたとえば以下のようにして実現できる。すなわち、病室や病棟の各エリア名と各エリアの範囲を示す座標値を対応付けて保持したエリアテーブル１２５を用意し、このエリアテーブル１２５を参照して位置検出部１２２が検出した位置から対応するエリア名を取得する。
【００１４】
移動検出部１２４は、図３に示すような位置管理テーブル３０１を用いて、無線ＬＡＮに接続されている１つまたは複数の医療用ポンプ２００の位置（エリア）を管理する。移動検出部１２４は、たとえば、エリア判定部１２３で判定されたエリアと位置管理テーブル３０１に登録されている現在エリアとを比較し、両者が異なる場合に医療用ポンプがエリア間で移動したと判定する。移動検出部１２４は、こうしてエリア間での移動が発生した医療用ポンプを検出すると、移動した医療用ポンプに移動後のエリアを通知する。また、移動が検出された場合には、移動後のエリアに登録されている現在エリアを更新する。なお、関連付けテーブル４２１を参照する構成は第２実施形態で必要となるものであり、第１実施形態では省略される。
【００１５】
また、本実施形態では、病棟や部屋を単位としたエリア管理を行うが、これに限られるものではない。医療用ポンプにおけるプロファイルの切り替えを適切に行えるようにエリアが設定されていればよい。以上のように、位置検知サーバ１０１は、位置管理テーブル３０１を参照することにより、無線ＬＡＮを介して、医療用ポンプ２００の各々に位置情報を送信する（詳細は、図５のフローチャートにより後述する）。
【００１６】
プロファイルサーバ１０２は、図４（ａ）に示すように、ＩＣＵ用、一般病棟用、小児科用といった複数種類の薬剤ライブラリのプロファイル（プロファイル群４０１）を保持している。各プロファイルは医療用ポンプの設定に関わるものであり、ユーザによる医療用ポンプの設定操作をサポートするために、医療施設内の複数のエリアの一つ以上のエリアに対応して作成されたものである。そして、プロファイルサーバ１０２は、必要に応じてプロファイルを医療用ポンプ２００に無線ＬＡＮを介してダウンロードする。なお、本実施形態におけるプロファイルの各々は、プロファイル名４０２と、当該プロファイルが対応しているエリアが記録された対応エリア４０３を含む。
【００１７】
中継器１０３は、病院内の各所に適切に配置され、医療用ポンプ２００を無線ＬＡＮに接続する。医療用ポンプ２００は、たとえば輸液ポンプまたはシリンジポンプであり、無線機能を内蔵し、中継器１０３を介して無線ＬＡＮに接続される。
【００１８】
図５は、実施形態による医療用ポンプの構成例を示すブロック図である。以下、医療用ポンプ２００の構成を図２を参照して説明する。医療用ポンプ２００は、中継器１０３を介して無線ＬＡＮと接続するための、無線ＬＡＮモジュール２０１を有する。制御部２０３は不図示のＣＰＵ，ＲＯＭ，ＲＡＭを備え、医療用ポンプ２００における各種制御を行う。ユーザは、操作部２０４を介して薬剤設定や流量設定等を行うことができる。表示部２０５は、制御部２０３の制御下で各種の表示を行う。
【００１９】
送液機構２０６は、制御部２０３の制御下で、薬液の送出を行う。医療用ポンプ２００が輸液ポンプの場合、送液機構２０６はたとえば送液用の複数のフィンガーを具備し、複数のフィンガーが順次に輸液チューブを押すことによりチューブ内の薬液を送出する。また、医療用ポンプ２００がシリンジポンプであれば、送液機構２０６はシリンジを装着してその押し子を押圧する構成となる。
【００２０】
保持部２０７は、位置検知サーバ１０１（図２）から通知されたエリアであるエリア情報２０８やプロファイルサーバ１０２からダウンロードされたプロファイル群２０９を保持する。
【００２１】
以上のような構成を備えた本実施形態の医療用ポンプシステムにける位置検知サーバ１０１の動作について、図６のフローチャートを参照して説明する。位置検知サーバ１０１は、複数の医療用ポンプ２００の位置を常時把握し、医療用ポンプ２００が異なるエリア（異なる病棟、病室、ＩＣＵ、ＮＩＣＵ、手術室等）に移動したかどうかを監視する。そして、位置検知サーバ１０１は、医療用ポンプ２００が異なるエリアに移動したことを検知した際には、そのエリアを示すエリア情報を当該医療用ポンプ２００に通知する。
【００２２】
まず、ステップＳ１０１において、位置検出部１２２は、各医療用ポンプの位置を検出するタイミングか否かを判定する。位置を検出するタイミングになると、ステップＳ１０２以降の処理を開始して、無線ＬＡＮに接続されている医療用ポンプ２００の位置を検出する。以下、複数の医療用ポンプ２００のうち処理対象とするポンプを医療用ポンプＮとして説明する。まず、ステップＳ１０２において、Ｎを１に設定し、ステップＳ１０３において、位置検出部１２２は、無線ＬＡＮを利用した位置検知を実行し、中継器１０３からの信号に基づいて医療用ポンプＮの現在位置を検出する。続いてステップＳ１０４において、エリア判定部１２３は、ステップＳ１０３で検出された位置情報（たとえば座標情報）を、エリアテーブル１２５を参照してエリア（たとえば、病棟、病室名の情報）を判定する。
【００２３】
次に、ステップＳ１０５において、移動検出部１２４は、位置管理テーブル３０１の医療用ポンプＮに関連して登録されている現在エリアとステップＳ１０４で判定したエリアとを比較する。位置管理テーブル３０１の現在エリアには、医療用ポンプＮに対して最も最近に通知したエリアが登録されているので、この比較の結果、両者が一致しない場合は医療用ポンプＮが別のエリアに移動したことを示している。よって、処理はステップＳ１０６からステップＳ１０７へ進み、移動検出部１２４は、ステップＳ１０４で判定した新たなエリアを医療用ポンプＮに通知する。そして、ステップＳ１０８において、移動検出部１２４は、位置管理テーブル３０１における、医療用ポンプＮの現在エリアを、判定されたエリアで更新する。そして、処理をステップＳ１０９へ進める。
【００２４】
他方、ステップＳ１０６で、比較された２つのエリアが一致した場合は、医療用ポンプＮはエリア間を移動しておらず、エリア情報の通知や位置管理テーブル３０１の更新は不要である。したがって、処理はステップＳ１０７、Ｓ１０８をスキップして、直接ステップＳ１０９へ進む。ステップＳ１０９において、無線ＬＡＮに接続された全ての医療用ポンプについて処理を終えたか否かを判定し、終えていなければ、ステップＳ１１０でＮを一つインクリメントする。そして、処理をステップＳ１０３に戻して次の医療用ポンプを対象として上記処理を繰り返す。
【００２５】
以上のようにして、無線ＬＡＮに接続された医療用ポンプ２００には、位置検知サーバ１０１から当該医療用ポンプ２００が存在しているエリア情報が通知される。医療用ポンプ２００は、このエリア情報をにしたがって適切なプロファイルを選択し、ユーザによる薬液設定をサポートする。以下、図７のフローチャートを参照して、本実施形態による医療用ポンプ２００のプロファイル選択にかかわる動作を説明する。なお、以下で説明する処理に先立って、医療用ポンプ２００の保持部２０７には、プロファイルサーバ１０２からダウンロードしされたプロファイル群４０１がプロファイル群２０９として保持されているものとする。プロファイル群２０９の各プロファイルは、図４（ａ）で示したように、対応エリア４０３に当該プロファイルを適用できるエリアが記録されている。
【００２６】
ステップＳ２０１において、制御部２０３は、位置検知サーバ１０１からエリアが通知されたかどうかを判定する。位置検知サーバ１０１からエリアが通知された場合は、自身が別のエリアに移動していることを示す。したがって、処理はステップＳ２０２に進み、制御部２０３は、通知されたエリアでエリア情報２０８を更新する。こうして、エリア情報２０８は、位置検知サーバ１０１から通知された最新のエリアを常に示す。
【００２７】
医療用ポンプ２００に対するユーザの設定操作が検出されると、現在の医療用ポンプ２００が存在するエリアに応じた、適切なプロファイルを自動的に選択する処理（ステップＳ２０４〜Ｓ２０７）を実行する。まず、ステップＳ２０４において、制御部２０３は、エリア情報２０８を保持部２０７から読み出し、ステップＳ２０５において、プロファイル群２０９の各プロファイルが有する対応エリア４０３に記録されたエリアと比較する。そして、ステップＳ２０６において、制御部２０３は、エリア情報２０８が示すエリアと一致するエリアを対応エリア４０３として含むプロファイルを選択する。そして、ステップＳ２０７において、制御部２０３は、選択されたプロファイルを用いて、各種設定処理を実行する。たとえば、プロファイル群２０９として図４（ａ）のプロファイル群４０１を保持しており、エリア情報２０８が病棟Ｂを示す場合、プロファイル名「一般病棟」のプロファイルが選択され、ユーザによる設定のサポートに利用されることになる。
【００２８】
以上のように、第１実施形態によれば、位置検知サーバは医療用ポンプの位置を常時把握し、ポンプが異なるエリア（異なる病棟、病室、手術室、ＩＣＵ、ＮＩＣＵ等）へ移動したことを検知した際には、医療用ポンプに対して自動的にその位置（エリア）を通知する。医療用ポンプは通知されたエリアを保持しておき、保持しているエリアの情報から適切なプロファイルを自動的に選択する。したがって、医師、看護師等の医療従事者であるユーザが医療用ポンプにて薬剤を選択したりその流量を設定したりする際には、医療用ポンプは現在の自身の位置に応じて適切なプロファイルを選択してユーザに提示することができる。したがって、ユーザによるプロファイル選択という操作を不要にしてユーザの負担を軽減するとともに、プロファイルの誤選択を防止できる。
【００２９】
なお、上記実施形態では、図４（ａ）に示したようにプロファイル毎に対応エリアを記述した構成を説明したが、これに限られるものではない。たとえば、図４（ｂ）に示したように、対応エリアとプロファイルとを関連付けた関連付けテーブル４２１と、プロファイル群４２２を保持した構成としてもよいことは明らかである。この場合、プロファイル群４２２の各プロファイルは、対応エリアの情報を持つ必要がなくなる。但し、プロファイルサーバ１０２から医療用ポンプ２００にプロファイル群４２２とともに関連付けテーブル４２１をダウンロードしておく必要がある。
【００３０】
［第２実施形態］
第１実施形態では、医療用ポンプ２００が存在しているエリアを医療用ポンプ２００に通知し、医療用ポンプ２００が通知されたエリアを用いてプロファイル選択するようにした。第２実施形態では、位置検知サーバ１０１が医療用ポンプ２００についてエリア間の移動を検出すると、移動後のエリアに応じて適切なプロファイルを特定し、そのプロファイルを識別する識別情報を当該医療用ポンプ２００に通知する。なお、本実施形態では、プロファイルを識別する識別情報としてたとえばプロファイル名が用いられる。すなわち、第１実施形態では医療用ポンプ２００がエリア情報からプロファイルを選択したが、第２実施形態では位置検知サーバ１０１がエリア情報からプロファイルを選択し、そのプロファイル名を医療用ポンプ２００に通知する。
【００３１】
位置検知サーバ１０１の構成は図２で説明したとおりであるが、第２実施形態の位置検知サーバ１０１は、位置管理テーブル３０１に加えて図４（ｂ）に示した関連付けテーブル４２１を保持する。そして、移動検出部１２４は、医療用ポンプ２００が存在するエリアが変化したことを検出した場合に、変化後のエリアに対応するプロファイルの識別情報（プロファイル名）を関連付けテーブル４２１を参照して取得する。その後、移動検出部１２４は、取得したプロファイル名を医療用ポンプ２００に対して送信する。医療用ポンプ２００は、位置検知サーバ１０１から送信されたプロファイル名にしたがって、ユーザによるポンプ設定操作のためのプロファイルを選択する。
【００３２】
位置検知サーバ１０１と医療用ポンプ２００の具体的な動作手順について、図６、図７を流用して説明する。第２実施形態の位置検知サーバ１０１の動作は、ステップＳ１０７を除いて第１実施形態同様である。第２実施形態の位置検知サーバ１０１は、ステップＳ１０７において、関連付けテーブル４２１を参照して、ステップＳ１０４で判定されたエリアに対応するプロファイルのプロファイル名を取得し、これを医療用ポンプＮに通知する。
【００３３】
医療用ポンプ２００では、第１実施形態のエリア情報２０８の代わりにプロファイル名が保持される。すなわち、図７のステップＳ２０１、Ｓ２０２において、制御部２０３は、位置検知サーバ１０１からのプロファイル名の通知に応じて、最も最近に受信したプロファイル名を保持部２０７に保持する。そして、制御部２０３は、ステップＳ２０２で保持されたプロファイル名を保持部２０７から読み出し（ステップＳ２０４）、プロファイル群２０９の各プロファイル名と比較する（ステップＳ２０５）。そして、制御部２０３は、保持部２０７に保持されたプロファイル群２０９から、保持部２０７に保持されているプロファイル名と一致するプロファイルを選択する（ステップＳ２０６）。他のステップの処理は第１実施形態で説明したとおりである。
【００３４】
［第３実施形態］
第１、第２実施形態では、医療用ポンプ２００がプロファイル群２０９を保持し、位置検知サーバ１０１から通知されたエリア（第１実施形態）またはプロファイル名（第２実施形態）にしたがって使用すべきプロファイルを選択するように構成した。第３実施形態では、医療用ポンプ２００が、常にエリアに対応したプロファイルのみを保持するようにして、ユーザによるプロファイルの誤選択を防止する。
【００３５】
図８は、第３実施形態の位置検知サーバ１０１の動作を説明するフローチャートである。図８において、図６と同じ処理ステップには、図６と同一の番号を付してある。図８では、図６のステップＳ１０７がステップＳ１２１、Ｓ１２２に置き換わっている。ステップＳ１２１において、移動検出部１２４は、関連付けテーブル４２１を参照することにより、エリア判定部１２３により判定された現在エリアに対応するプロファイルのプロファイル名を選択する。そして、ステップＳ１２２において、移動検出部１２４は、無線ＬＡＮモジュール１２１を介して、プロファイルサーバ１０２に対して、医療用ポンプＮにステップＳ１２１で選択されたプロファイルをダウンロードするように指示する。
【００３６】
プロファイルサーバ１０２は、ダウンロードすべきプロファイルのプロファイル名とダウンロード先の医療用ポンプ（医療用ポンプＮ）の指示を位置検知サーバ１０１から受信すると、指定されたプロファイルを医療用ポンプＮにダウンロードする。なお、上記処理では、位置検知サーバ１０１がプロファイル名を特定してプロファイルサーバ１０２に指示を送っているがこれに限られるものではない。たとえば、位置検知サーバ１０１からは検出されたエリアを通知し、プロファイルサーバ１０２が通知されたエリアからダウンロードすべきプロファイルを選択するようにしても良い。
【００３７】
第３実施形態の医療用ポンプ２００も第１実施形態（図５）と同様の構成となるが、保持部２０７には単一のプロファイルが格納され、エリア情報２０８は保持されない。図９は、第３実施形態の医療用ポンプ２００の動作を説明するフローチャートである。ステップＳ２２１において、制御部２０３はプロファイルサーバ１０２から新たなプロファイルをダウンロードしたか否かを判定する。新たなプロファイルをダウンロードした場合、制御部２０３は、ステップＳ２２２において、保持部２０７に当該ダウンロードされたプロファイルを保持し、それまで保持していたプロファイルを破棄する。こうして、新たにダウンロードされたプロファイルによって保持部２０７内のプロファイルが更新され、保持部２０７は最新のプロファイルの身を保持するようになる。
【００３８】
ステップＳ２２３において、ユーザによる設定操作を受け付けると処理はステップＳ２２４に進む。ステップＳ２２４において、制御部２０３は、保持部２０７に現在保持されているプロファイルを用いて設定処理を行う。
【００３９】
以上のように、第３実施形態によれば、医療用ポンプ２００には、そのエリアに応じたプロファイルのみが保持され使用されるので、医療用ポンプ２００を移動したことによるプロファイルの誤選択が防止される。また、医療用ポンプ２００にはエリアに応じた、適切なプロファイルのみが保持されることになり、複数のプロファイルを保持した場合に比べてメモリ容量を節約することができる。
【００４０】
なお、上記各実施形態では、位置検知サーバ１０１とプロファイルサーバ１０２を別体の情報処理装置として説明したが、これらは、一体の情報処理装置によって実現されてもよい。
【００４１】
また、上記各実施形態において、医療用ポンプ２００が、最後に利用したプロファイルの識別情報（プロファイル名）を記憶しておき、設定操作のためにプロファイルが選択された際に、前回と今回で選択されたプロファイルが一致するか判定し、一致しない場合にこれを通知するようにしてもよい。
【符号の説明】
【００４２】
１０１：位置検知サーバ、  １０２：プロファイルサーバ、  １０３：中継器、  １２１，２０１：無線ＬＡＮモジュール、  １２２：位置検出部、  １２３：エリア判定部、  １２４：移動検出部、  １２５：エリアテーブル、  ２０１：医療用ポンプ、  ２０３：制御部、  ２０４：操作部、  ２０５：表示部、  ２０６：送液機構、  ２０７：保持部、  ２０８：エリア情報、  ２０９：プロファイル群、  ３０１位置管理テーブル
【図１】
0005707078.tif 000002
【図２】
0005707078.tif 000003
【図３】
0005707078.tif 000004
【図４】
0005707078.tif 000005
【図５】
0005707078.tif 000006
【図６】
0005707078.tif 000007
【図７】
0005707078.tif 000008
【図８】
0005707078.tif 000009
【図９】
0005707078.tif 000010